(57)【要約】      （修正有）【課題】電源プラグの抜き差し操作を全く必要とせず、しかも、パソコン未使用時の無駄な電力消費も招かない信号増幅装置を提供する。【解決手段】信号増幅装置２０は、テレビ信号を増幅するためのアンプ２１ａを含み、前記アンプ２１ａによって増幅されたテレビ信号をテレビ機能付きパソコンに出力すると共に、前記アンプ２１ａの電源を前記テレビ機能付きパソコンの汎用インターフェースから取り出すように構成する。テレビ機能付きパソコンの汎用インターフェースから取り出した直流電圧によってアンプ２１ａの電源が確保されるため、テレビ機能付きパソコンの電源オンオフに連動してアンプ２１ａの電源もオンオフされる。【選択図】図２
2004336322.tif 000002
【特許請求の範囲】
【請求項１】
テレビ信号を増幅するためのアンプを含み、
前記アンプによって増幅されたテレビ信号をテレビ機能付きパソコンに出力すると共に、前記アンプの電源を前記テレビ機能付きパソコンの汎用インターフェースから取り出すようにしたことを特徴とする信号増幅装置。
【請求項２】
テレビ信号を増幅するためのアンプと、
前記アンプにテレビ信号を入力するための入力側同軸ケーブルと、
前記アンプによって増幅されたテレビ信号をテレビ機能付きパソコンに出力するための出力側同軸ケーブルと、
前記テレビ機能付きパソコンの汎用インターフェースから直流電圧を取り出す電源取り出し手段と、
前記電源取り出し手段によって取り出された直流電圧を前記出力側同軸ケーブルを介して前記アンプの電源端子とグランド端子に供給する電源供給手段と
を備えたことを特徴とする信号増幅装置。
【請求項３】
前記出力側同軸ケーブルを外径寸法が小さい所定の同軸ケーブルとしたことを特徴とする請求項２に記載の信号増幅装置。
【請求項４】
一端に入力されたテレビ信号をテレビ機能付きパソコンに出力するための同軸ケーブルと、
前記テレビ機能付きパソコンの汎用インターフェースから直流電圧を取り出す電源取り出し手段と、
前記電源取り出し手段によって取り出された直流電圧を前記同軸ケーブルの一端に伝える電源供給手段と
を備えたことを特徴とする信号増幅装置用延長ケーブル。
【請求項５】
前記同軸ケーブルを外径寸法が小さい所定の同軸ケーブルとしたことを特徴とする請求項４に記載の信号増幅装置用延長ケーブル。
【請求項６】
テレビ信号を増幅し、該増幅されたテレビ信号をテレビ機能付きパソコンに出力するアンプと、
前記テレビ機能付きパソコンの汎用インターフェースから直流電圧を取り出す電源取り出し手段と、
前記電源取り出し手段によって取り出された直流電圧を前記アンプの電源端子とグランド端子に供給する電源供給手段と
を備えたことを特徴とする信号増幅装置。
【請求項７】
前記汎用インターフェースをバスパワー対応のＵＳＢインターフェースとしたことを特徴とする請求項１、請求項２または請求項６いずれかに記載の信号増幅装置。
【請求項８】
前記汎用インターフェースをバスパワー対応のＵＳＢインターフェースとしたことを特徴とする請求項４に記載の信号増幅装置用延長ケーブル。
【発明の詳細な説明】
【０００１】
【発明の属する技術分野】
本発明は、地上波放送や衛星放送またはケーブルテレビなどのテレビ信号を増幅する信号増幅装置（ブースタともいう）及び信号増幅装置用延長ケーブルに関する。詳しくは、テレビ機能付きであって、さらに、外部機器に電源を供給可能な汎用インターフェースを備えたパーソナルコンピュータに適用して好ましい信号増幅装置及び信号増幅装置用延長ケーブルに関する。
【０００２】
【従来の技術】
最近、パーソナルコンピュータ（以下「パソコン」という。）でテレビを見たり録画したりすることが静かなブームとなっている。テレビ機能を標準で備えたパソコンが売れ行きを伸ばしているほか、汎用パソコンでテレビを見るための拡張ボードや外付けユニットなどの周辺機器類も好調である。
【０００３】
図５は、たとえば、汎用パソコンでテレビを見る場合の構成図である。（ａ）パソコン１の拡張スロット（一般にＰＣＩスロット）にテレビチューナーボード２を実装し、テレビチューナーボード２と室内の壁面に設けられているテレビ端子（不図示）との間を同軸ケーブル３で接続する。そして、専用のアプリケーションソフト（一般にテレビチューナーボード２に付属している。）をパソコン１で実行すれば、当該パソコン１でテレビを見たり録画したりでき、パソコン１をテレビ機能付きパソコンとして利用できる。
【０００４】
または、（ｂ）汎用インターフェース接続タイプの外付けチューナユニット４を使用することもある。この場合、パソコン５の汎用インターフェース（たとえば、ＵＳＢ：Ｕｎｉｖｅｒｓａｌ  Ｓｅｒｉａｌ  Ｂｕｓ）と外付けチューナユニット４との間を専用ケーブル６で接続し、さらに、外付けチューナユニット４とテレビ端子との間を同軸ケーブル７で接続する。そして、上記と同様に、専用のアプリケーションソフトをパソコン５で実行すれば、当該パソコン５でテレビを見たり録画したりでき、パソコン５をテレビ機能付きパソコンとして利用できる。
【０００５】
ところで、一般にパソコンの設置場所はもっぱら作業性を考慮して、たとえば、机の上などとされることが多い。一方、テレビ端子は多くの場合、一つの部屋に１箇所であり、しかも、そのテレビ端子の位置はテレビ専用受信機（以下、単に「テレビ受信機」という。）の置き場所を考えて、たとえば、部屋のコーナ付近であり、さらに、その場所（部屋のコーナ付近）はテレビ受信機に占有されていることが多い。したがって、パソコンでテレビを見る場合は、部屋のコーナ付近から机の上までの間に長々とテレビ信号用の伝送線（図５の同軸ケーブル３または同軸ケーブル７参照）を引き回さなければならず、見栄えの悪さを否めなかった。
【０００６】
図６は、同軸ケーブルの代表例を示すその構造図である。（ａ）は「５Ｃ−２Ｖ」と呼ばれるもの、（ｂ）は「２．５Ｃ−２Ｖ」と呼ばれるもの、（ｃ）は「１．５Ｃ−２Ｖ」と呼ばれるものである。いずれも、中心導体８とシールド導体９との間に所定厚の絶縁材料１０を介在させ、且つ、外周面を絶縁体１１で覆った円形断面構造を有する点で共通するが、外径寸法（太さ）の点で相違する。すなわち、「５Ｃ−２Ｖ」の外径寸法φ１は０．８ｍｍ、「２．５Ｃ−２Ｖ」の外径寸法φ２は０．４ｍｍ、「１．５Ｃ−２Ｖ」の外径寸法φ３は０．２６ｍｍであり、最も外径寸法が小さい（細い）のはこの例の場合、（ｃ）の「１．５Ｃ−２Ｖ」である。
【０００７】
今、部屋のコーナ付近のテレビ端子と机の上に置かれたパソコンとの間を最小外径寸法（０．２６ｍｍ）の同軸ケーブル（１．５Ｃ−２Ｖ）で接続することにすれば、同軸ケーブルを、たとえば、カーペットの下や畳の隙間などに容易に隠すことができ、部屋の見栄えを損なうことがないから好都合である。
【０００８】
しかし、外径寸法の小さい同軸ケーブルは、上記のとおり、物陰に隠したりして部屋の見栄えを損なわないという利点があるものの、信号の損失が大きいという欠点がある。
【０００９】
図７は、上記の三つの同軸ケーブルの減衰特性を示す図である。この図において、横軸は周波数であり、図面の右に行くほど周波数が高くなっている。縦軸は減衰量であり、図面の上に行くほど減衰が大きくなっている。実線で示す特性線１２は「５Ｃ−２Ｖ」のもの、一点鎖線で示す特性線１３は「２．５Ｃ−２Ｖ」のもの、波線で示す特性線１４は「１．５Ｃ−２Ｖ」のものである。たとえば、周波数２００ＭＨｚのときの減衰量に着目すると、「５Ｃ−２Ｖ」の減衰量（１２６ｄＢ／Ｋｍ）を基準にして、「２．５Ｃ−２Ｖ」の減衰量は約２倍（２５０ｄＢ／Ｋｍ）、「１．５Ｃ−２Ｖ」の減衰量は約３倍（３５０ｄＢ／Ｋｍ）にもなっている。
【００１０】
したがって、上記のように、部屋のコーナ付近のテレビ端子と机の上に置かれたパソコンとの間を最小外径寸法（０．２６ｍｍ）の同軸ケーブル（１．５Ｃ−２Ｖ）で接続する際に、テレビ信号の電界強度によっては、信号の減衰対策が必要となることがあり、このような場合に、テレビ端子付近にブースタと呼ばれる信号増幅装置を設置する。
【００１１】
図８は、信号の減衰対策を講じた場合の構成図である。この図において、パソコン１５はテレビ機能付きのもの（たとえば、図５（ａ）、（ｂ）のパソコン１やパソコン５など）である。パソコン１５とテレビ端子の間には、公知の信号増幅装置１６（たとえば、特許文献１参照）が挿入されており、この信号増幅装置１６の電源供給は、内蔵の電源ユニット１６ａまたは外付けの電源アダプタ１７によって行われる。
【００１２】
今、信号増幅装置１６の増幅度を便宜的にＡとし、パソコン１５と信号増幅装置１６との間の同軸ケーブル１８の減衰量を便宜的にＢとするとき、たとえば、Ａ＝Ｂであるならば、同軸ケーブル１８の損失分を信号増幅装置１６で補償することができるから、上記のように、部屋のコーナ付近のテレビ端子と机の上に置かれたパソコンとの間を最小外径寸法（０．２６ｍｍ）の同軸ケーブル（１．５Ｃ−２Ｖ）で接続する際の不都合（信号の減衰）を解消することができる。
【００１３】
【特許文献１】
特開平７−７４６６５号公報（〔０００７〕、第５図）
【００１４】
【発明が解決しようとする課題】
しかしながら、上記従来の信号増幅装置１６にあっては、その電源供給を、内蔵の電源ユニット１６ａまたは外付けの電源アダプタ１７によって行う仕組みになっていたため、パソコン１５でテレビを見るたびに、電源ユニット１６ａや電源アダプタ１７の電源プラグ１６ｂ、１７ａを電源コンセントに差し込まなければならず、手間がかかって面倒であるという問題点がある。また、パソコン１５でテレビを見終わった後は、電源プラグ１６ｂ、１７ａを電源コンセントから引き抜かなければならないが、しばしばその引き抜き操作を忘れることがあり、この場合、無駄な電力消費を招くという問題点がある。
【００１５】
そこで、本発明は、電源プラグの抜き差し操作を全く必要とせず、しかも、パソコン未使用時の無駄な電力消費も招かない信号増幅装置を提供することを目的とする。
【００１６】
【課題を解決するための手段】
本発明は、テレビ信号を増幅するためのアンプを含み、前記アンプによって増幅されたテレビ信号をテレビ機能付きパソコンに出力すると共に、前記アンプの電源を前記テレビ機能付きパソコンの汎用インターフェースから取り出すようにしたことを特徴とする。
この発明では、テレビ機能付きパソコンの汎用インターフェースから取り出した直流電圧によってアンプの電源が確保される。したがって、テレビ機能付きパソコンの電源オンオフに連動してアンプの電源もオンオフされるので、従来技術のようにいちいち電源プラグを抜き差しする必要がなく、手間の軽減及び電源プラグの抜き忘れに伴う無駄な電力消費も招かない
又は、テレビ信号を増幅するためのアンプと、前記アンプにテレビ信号を入力するための入力側同軸ケーブルと、前記アンプによって増幅されたテレビ信号をテレビ機能付きパソコンに出力するための出力側同軸ケーブルと、前記テレビ機能付きパソコンの汎用インターフェースから直流電圧を取り出す電源取り出し手段と、前記電源取り出し手段によって取り出された直流電圧を前記出力側同軸ケーブルを介して前記アンプの電源端子とグランド端子に供給する電源供給手段とを備えた構成とすると共に、
前記出力側同軸ケーブルを外径寸法が小さい所定の同軸ケーブル（たとえば、２．５Ｃ−２Ｖや１．５Ｃ−２Ｖなど）とすれば、出力側同軸ケーブルをカーペットの下や畳の隙間などに容易に隠すことができ、室内の見栄えを改善できる。
又は、前記汎用インターフェースをバスパワー対応のＵＳＢインターフェースとすれば、そのインターフェースの１番端子（＋電源端子）と４番端子（グランド端子）から＋５Ｖ電源を取り出すことができ、一般的なアンプの電源をまかなうことができる。
【００１７】
【発明の実施の形態】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１８】
図１は、本実施の形態における信号増幅装置２０の外観図である。この図において、増幅器２１の入力端（図面に向かって右端）からは適当な長さ（便宜的にＬａとする。）の同軸ケーブル（以下「入力側同軸ケーブル」という。）２２が引き出されており、その入力側同軸ケーブル２２の先端に、不図示のテレビ端子に接続するためのプッシュプラグ２３が取り付けられている。
【００１９】
また、増幅器２１の出力端（図面に向かって左端）からは適当な長さ（便宜的にＬｂとする。）の同軸ケーブル（以下「出力側同軸ケーブル」という。）２４が引き出されており、その出力側同軸ケーブル２４の先端に、不図示のテレビ機能付きパソコン（たとえば、図５（ａ）、（ｂ）のパソコン１やパソコン５など）のチューナ端子に接続するためのＲＦプラグ２５と、適当な長さ（便宜的にＬｃとする。）のｎ線式ケーブル２６（ｎ≧２）で引き出されたＵＳＢプラグ２７が取り付けられている。ｎ線式ケーブル２６は発明の要旨に記載の電源供給手段として機能し、また、ＵＳＢプラグ２７は同要旨に記載の電源取り出し手段として機能する。
【００２０】
ここで、上記の各長さ（Ｌａ、Ｌｂ及びＬｃ）は、次のようにして決定される。まず、Ｌａはできるだけ短いことが望ましい。その理由は、Ｓ／Ｎ比を改善するために、増幅器２１を可能な限り信号の上流側（テレビ端子に近くなる側）に位置させるべきだからである。この点において、理想的にはＬａを“０”とすることが望ましいが、壁際のテレビ端子にプッシュプラグ２３を容易に差し込めるようにするために、Ｌａを“０”を超えるごく短い長さ（たとえば、数ｃｍ〜数十ｃｍ程度）とすることが実用的である。
【００２１】
次に、Ｌｂは、テレビ端子からテレビ機能付きパソコンの設置場所までの平均的距離を勘案して決定する。一般的にＬａは数ｍもあれば十分と思われる。なお、このＬａはテレビ信号の減衰の大きさを左右するため、増幅器２１の増幅度は同減衰の大きさに対応するものでなければならない。たとえば、Ｌａ＝Ｘｍとしたとき、そのＸｍの出力側同軸ケーブル２４の減衰量がＢであるならば、理想的には、増幅器２１の増幅度Ａを減衰量Ｂと同等ないしは上回るように設定する。こうすることにより、出力側同軸ケーブル２４の損失を増幅器２１によって補償することができる。
【００２２】
次に、Ｌｃは基本的に、テレビ機能付きパソコンのチューナ端子からＵＳＢ端子までの平均的距離を勘案して決定するが、ｎ線式ケーブル２６は、直流成分しか流す必要がない（テレビ信号等の高周波成分を流さない）ため、減衰を心配する必要がない。したがって、Ｌｃについてはいくら長くしても構わないものの、余った部分が邪魔になるから、実際には数十ｃｍまたは１ｍ程度もあれば十分である。
【００２３】
さて、このような構成の信号増幅装置２０は、それ自体が単体の製品として、または、汎用パソコンでテレビを見るための拡張ボード（図５（ａ）のテレビチューナーボード２）や外付けユニット（図５（ｂ）の外付けチューナユニット４）などの付属品としてユーザに提供される。
【００２４】
ユーザは、室内のテレビ端子と自分のテレビ機能付きパソコンの間に信号増幅装置２０を敷設するが、冒頭でも説明したとおり、室内に長々と引き回すのは美観の点で好ましくない。そこで、本実施の形態における信号増幅装置２０は、その全長のほとんどを占める出力側同軸ケーブル２４を、外径寸法が最も小さいもの（たとえば、１．５Ｃ−２Ｖ）とする。
【００２５】
こうすることにより、カーペットの下や畳の隙間などに出力側同軸ケーブル２４を隠すことができ、室内の美観を損なうことがない。なお、入力側同軸ケーブル２２については、テレビ端子の直近に位置するので、カーペットの下や畳の隙間などに隠せない。このため、減衰を少なくする点では、たとえば、５Ｃ−２Ｖを使用すべきところ、長さ（Ｌａ）を短くできることから、減衰をそれほど心配しなくてもよく、出力側同軸ケーブル２４と同じもの（たとえば、１．５Ｃ−２Ｖ）を使用しても差し支えない。
【００２６】
図２は、本実施の形態における信号増幅装置２０の回路図である。この図において、増幅器２１は、所定増幅度（便宜的にＡとする。）のアンプ２１ａと、アンプ２１ａの入力端子２１ｂと入力側同軸ケーブル２２の中心導体２２ａとの間に挿入された直流阻止用コンデンサ２１ｃと、アンプ２１ａの出力端子２１ｄと出力側同軸ケーブル２４の中心導体２４ａとの間に挿入された直流阻止用コンデンサ２１ｅと、アンプ２１ａの＋電源端子２１ｆと出力側同軸ケーブル２４の中心導体２４ａとの間に挿入された高周波阻止用チョークコイル２１ｇとを備える。なお、アンプ２１ａのグランド端子２１ｈは、増幅器２１のグランドを介して、入力側同軸ケーブル２２のシールド導体２２ｂと出力側同軸ケーブル２４のシールド導体２４ｂとに接続されている。
【００２７】
また、ｎ線式ケーブル２６は、この例の場合、２線式であり、一方の線２６ａは高周波阻止用チョークコイル２５ａを介して出力側同軸ケーブル２４の中心導体２４ａに接続され、他方の線２６ｂは出力側同軸ケーブル２４のシールド導体２４ｂに接続されている。
【００２８】
さらに、ＵＳＢプラグ２７は、任意形状の絶縁体ケース２７ａと、そのケース２７ａの先端から突出した所定開口サイズの矩形状金属部２７ｂと、矩形状金属部２７ｂの内部に収められた平板状絶縁体２７ｃと、その平板状絶縁体２７ｃの上に等間隔で並べられた４個の端子２７ｄ〜２７ｇ（＋電源端子２７ｄ、＋データ端子２７ｅ、−データ端子２７ｆ及びグランド端子２７ｇ）とを備え、＋電源端子２７ｄとｎ線式ケーブル２６の一方の線２６ａとの間を接続すると共に、グランド端子２７ｇとｎ線式ケーブル２６の他方の線２６ｂとの間を接続して構成されている。なお、本実施の形態の信号増幅装置２０では、４個の端子２７ｄ〜２７ｇのうちの二つ（＋電源端子２７ｄとグランド端子２７ｇ）しか使用しないため、残りの端子（＋データ端子２７ｅと−データ端子２７ｆ）を取り除いても構わない。
【００２９】
このような構成において、入力側同軸ケーブル２２の先端のプッシュプラグ２３を不図示のテレビ端子に接続し、さらに、出力側同軸ケーブル２４の先端のＲＦプラグ２５を不図示のテレビ機能付きパソコンのチューナ端子に接続すると共に、ｎ線式ケーブル２６で引き出されたＵＳＢプラグ２７を同パソコンのＵＳＢ端子（ただし、バスパワー対応のＵＳＢ端子）に接続した状態で、当該テレビ機能付きパソコンを立ち上げると、テレビ機能付きパソコンのＵＳＢ端子からＵＳＢプラグ２７の＋電源端子２７ｄとグランド端子２７ｇの間に直流電圧（＋５Ｖ）が印加される。
【００３０】
上記のとおり、ＵＳＢプラグ２７の＋電源端子２７ｄは、ｎ線式ケーブル２６の一方の線２６ａ、高周波阻止用チョークコイル２５ａ、出力側同軸ケーブル２４の中心導体２４ａ及び増幅器２１の高周波阻止用チョークコイル２１ｇを介してアンプ２１ａの＋電源端子２１ｆに接続されており、且つ、ＵＳＢプラグ２７のグランド端子２７ｇは、ｎ線式ケーブル２６の他方の線２６ｂ、出力側同軸ケーブル２４のシールド導体２４ｂ及び増幅器２１のグランドを介してアンプ２１ａのグランド端子２１ｈに接続されているから、ＵＳＢプラグ２７の＋電源端子２７ｄとグランド端子２７ｇの間に印可された直流電圧は、結局、アンプ２１ａの＋電源端子２１ｆとグランド端子２７ｇの間に印可されて、アンプ２１ａの電源電圧となり、その結果、アンプ２１ａは、入力側同軸ケーブル２２を介して入力されたテレビ信号を所定の増幅度Ａで増幅し、増幅後のテレビ信号を、出力側同軸ケーブル２４を介して不図示のテレビ機能付きパソコンに出力することになる。
【００３１】
したがって、出力側同軸ケーブル２４の減衰量を便宜的にＢとすれば、アンプ２１ａの増幅度Ａにより、この減衰分Ｂを補うことができ、出力側同軸ケーブル２４に、たとえば、１．５Ｃ−２Ｖを用いた場合の不都合（減衰量が大きい）を解消することができる。
【００３２】
しかも、本実施の形態の信号増幅装置２０では、テレビ機能付きパソコンのＵＳＢ端子から直流電圧を取り出し、その直流電圧をアンプ２１ａの電源として利用しているため、テレビを見るときには、単に当該パソコンを立ち上げるだけで、自動的にアンプ２１ａの動作に必要な電源を確保することができる。このため、従来技術のように、テレビを見るたびに、いちいち電源プラグを電源コンセントに差し込むという面倒な手間がなく、操作を簡便にできるという利点がある。
【００３３】
また、テレビを見終わったときには、単に当該パソコンの電源をオフにするだけで、自動的にアンプ２１ａへの電源供給を遮断することができる。このため、従来技術のように、テレビを見終わるたびに、いちいち電源プラグを電源コンセントから引き抜く必要がないから手間の軽減はもちろんのこと、電源プラグの抜き忘れに伴う無駄な電力消費も招かないという利点がある。
【００３４】
なお、本発明は上記の実施の形態に限定されない。その技術思想の範囲において、様々な変形例を含むことはもちろんである。
図３（ａ）は、その第１の変形例を示す図である。この変形例は、同軸ケーブルを別体とするものである。すなわち、図示の信号増幅装置３０は、前記実施の形態と同一の回路構成の増幅器２１の出力側にＲＦプラグ２５と、ｎ線式ケーブル２６によって引き出されたＵＳＢプラグ２７とを取り付けると共に、その入力側にＲＦコネクタ３１を取り付けて構成されたものである。このような構成であると、ユーザ毎に、所望長及び所望太さの任意の同軸ケーブル３２を使用することができる。
【００３５】
図３（ｂ）は、その第２の変形例を示す図である。信号増幅装置３２は、増幅器２１の出力側にＲＦプラグ２５を直接（またはごく短い同軸ケーブルを介して）接続し、その入力側に長さＬｂの同軸ケーブル３７を接続し、同軸ケーブル３７の先端にプッシュプラグ３８を取り付けると共に、増幅器２１から引き出したｎ線式ケーブル２６の先端にＵＳＢプラグ２７を取り付けて構成されている。この変形例は、前記の実施の形態（図１）と比較して、増幅器２１をＲＦプラグ２５の近くに置いてある点で相違する。一般にＳ／Ｎ比を改善するためには、増幅器はできるだけ信号の上流側に置くことが望ましいとされているが、電界強度が十分な場合はこのような変形例としてもよい。テレビ端子の近くに増幅器２１が位置しないため、テレビ端子周りをスッキリと整理することができる。
【００３６】
図４は、その第３の変形例を示す図である。信号増幅装置用延長ケーブル３９は、所定の長さ（Ｌｂ）の同軸ケーブル４０の一端（図面に向かって右端）にＲＦコネクタ４１を取り付けると共に、同軸ケーブル４０の他端（図面に向かって左端）に、前記の実施の形態のものと同様のＲＦプラグ２５と、適当な長さ（Ｌｃ）のｎ線式ケーブル２６（ｎ≧２）で引き出されたＵＳＢプラグ２７とを取り付けて組み立てられている。この信号増幅装置用延長ケーブル３９は、任意の増幅器４２と組み合わせて使用される。
【００３７】
この増幅器４２は、一端側の端子４２ａにテレビアンテナからのテレビ信号を入力し、他端側の端子４２ｂからそのテレビ信号を増幅して出力するものであり、特に内蔵アンプの電源を他端側の端子４２ｂから取り込むタイプのものである。したがって、信号増幅装置用延長ケーブル３９と任意の増幅器４２とを接続したものは、前記の実施の形態のもの（図１参照）と同じ構成になるから、この第３の変形例においても、前記の実施の形態のものと同一の効果が得られるほか、所要増幅度や屋外・屋内の設置場所等に対応した適切な種類の増幅器４２を自由に選択できるという効果が得られる。
【００３８】
また、以上の説明では、テレビ機能付きパソコンのＵＳＢ端子からアンプ２１ａの電源を取り出しているが、これに限定されない。直流電圧を取り出すことができるものであれば他のインターフェースであってもよい。
【００３９】
【発明の効果】
この発明によれば、テレビ機能付きパソコンの汎用インターフェースから取り出した直流電圧によってアンプの電源が確保される。したがって、テレビ機能付きパソコンの電源オンオフに連動してアンプの電源もオンオフされるので、従来技術のようにいちいち電源プラグを抜き差しする必要がなく、手間の軽減及び電源プラグの抜き忘れに伴う無駄な電力消費も招かない
又は、テレビ信号を増幅するためのアンプと、前記アンプにテレビ信号を入力するための入力側同軸ケーブルと、前記アンプによって増幅されたテレビ信号をテレビ機能付きパソコンに出力するための出力側同軸ケーブルと、前記テレビ機能付きパソコンの汎用インターフェースから直流電圧を取り出す電源取り出し手段と、前記電源取り出し手段によって取り出された直流電圧を前記出力側同軸ケーブルを介して前記アンプの電源端子とグランド端子に供給する電源供給手段とを備えた構成とすると共に、
前記出力側同軸ケーブルを外径寸法が小さい所定の同軸ケーブルとすれば、出力側同軸ケーブルをカーペットの下や畳の隙間などに容易に隠すことができ、室内の見栄えを改善できる。
又は、前記汎用インターフェースをバスパワー対応のＵＳＢインターフェースとすれば、そのインターフェースの１番端子（＋電源端子）と４番端子（グランド端子）から＋５Ｖ電源を取り出すことができ、一般的なアンプの電源をまかなうことができる。
【図面の簡単な説明】
【図１】本実施の形態における信号増幅装置２０の外観図である。
【図２】本実施の形態における信号増幅装置２０の回路図である。
【図３】本発明の変形例（第１及び第２の変形例）を示す図である。
【図４】本発明の変形例（第３の変形例）を示す図である。
【図５】汎用パソコンでテレビを見る場合の構成図である。
【図６】同軸ケーブルの代表例を示すその構造図である。
【図７】三つの同軸ケーブルの減衰特性を示す図である。
【図８】信号の減衰対策を講じた場合の構成図である。
【符号の説明】
１  パソコン（テレビ機能付きパソコン）
５  パソコン（テレビ機能付きパソコン）
２０  信号増幅装置
２１ａ  アンプ
２１ｆ  電源端子
２１ｈ  グランド端子
２２  入力側同軸ケーブル
２４  出力側同軸ケーブル
２６  ｎ線式ケーブル（電源供給手段）
２７  ＵＳＢプラグ（電源取り出し手段）
３９  信号増幅装置用延長ケーブル
４０  同軸ケーブル
【図１】
2004336322.tif 000003
【図２】
2004336322.tif 000004
【図３】
2004336322.tif 000005
【図４】
2004336322.tif 000006
【図５】
2004336322.tif 000007
【図６】
2004336322.tif 000008
【図７】
2004336322.tif 000009
【図８】
2004336322.tif 000010